(57)【特許請求の範囲】
【請求項１】
光ディスクに記録すべきデータと、当該データに関するマネージメント情報と、を含む記録フォーマットに則って当該データと当該マネージメント情報とを前記光ディスクに記録する情報記録方法であって、
前記マネージメント情報が記録済みの前記光ディスク上のマネージメント情報エリアと当該マネージメント情報に対応する前記データが記録済みのデータ領域とが、前記光ディスク上において物理的に連続して形成されるように当該マネージメント情報及び当該データを記録すると共に、
前記記録フォーマットに則って既に他の前記データが記録されている前記光ディスクに前記記録フォーマットに則って新たな前記データを記録するとき、当該新たなデータに対応する前記マネージメント情報が記録されるべき前記光ディスク上の前記マネージメント情報エリアに、前記新たなデータに対応する前記マネージメント情報及び前記光ディスク上に既に記録されている前記データに関する前記マネージメント情報を記録することを特徴とする情報記録方法。
【請求項２】
前記マネージメント情報は、記録される前記データのディレクトリを含むことを特徴とする請求項１に記載の情報記録方法。
【請求項３】
光ディスクに記録すべきデータと、当該データに関するマネージメント情報と、を含む記録フォーマットに則って当該データと当該マネージメント情報とを前記光ディスクに記録する情報記録方法であって、
前記光ディスク上においては、前記マネージメント情報が記録済みの前記光ディスク上のマネージメント情報エリアと当該マネージメント情報に対応する前記データが記録済みのデータ領域とが、物理的に連続して形成されるように当該マネージメント情報及び当該データが記録されると共に、
前記光ディスクが未書込みか否かを判定し、
未書込みである前記光ディスクに対しては、前記記録フォーマットに則って、前記データが記録されるべき前記光ディスク上の書込みデータエリアに当該データを記録すると共に、前記データに対応する前記マネージメント情報が記録されるべき前記光ディスク上の前記マネージメント情報エリアに当該マネージメント情報を記録し、
既に前記データが記録されている前記光ディスクに対しては、前記記録フォーマットに則って、新たな前記データが記録されるべき前記光ディスク上の新たな書込みデータエリアに当該新たなデータを記録すると共に、当該新たなデータに対応する前記マネージメント情報が記録されるべき前記光ディスク上の新たな前記マネージメント情報エリアに、前記新たなデータに対応する前記マネージメント情報及び既に前記光ディスクに記録されている前記データに関するマネージメント情報を記録することを特徴とする情報記録方法。
【請求項４】
前記マネージメント情報は、前記データのディレクトリを含むことを特徴とする請求項３に記載の情報記録方法。
【請求項５】
請求項１から４のいずれか一項に記載の情報記録方法において、
前記記録フォーマットは、前記データの記録終了位置を示すパーティションデータを、当該パーティションデータが対応する前記データ及び当該データが対応する前記マネージメント情報と共に前記光ディスクにおける記録可能領域内に記録するように規定した記録フォーマットであることを特徴とする情報記録方法。
【請求項６】
光ディスクに記録すべきデータと、当該データに関するマネージメント情報と、を含む記録フォーマットに則って当該データと当該マネージメント情報とを前記光ディスクに記録する情報記録装置であって、
前記マネージメント情報が記録済みの前記光ディスク上のマネージメント情報エリアと当該マネージメント情報に対応する前記データが記録済みのデータ領域とが、前記光ディスク上において物理的に連続して形成されるように当該マネージメント情報及び当該データを記録すると共に、
前記記録フォーマットに則って既に他の前記データが記録されている前記光ディスクに前記記録フォーマットに則って新たな前記データを記録するとき、当該新たなデータに対応する前記マネージメント情報が記録されるべき前記光ディスク上の前記マネージメント情報エリアに、前記新たなデータに対応する前記マネージメント情報及び前記光ディスク上に既に記録されている前記データに関する前記マネージメント情報を記録する記録手段を備えることを特徴とする情報記録装置。
【請求項７】
前記マネージメント情報は、記録される前記データのディレクトリを含むことを特徴とする請求項６に記載の情報記録装置。
【請求項８】
光ディスクに記録すべきデータと、当該データに関するマネージメント情報と、を含む記録フォーマットに則って当該データと当該マネージメント情報とを前記光ディスクに記録する情報記録装置であって、
前記光ディスク上においては、前記マネージメント情報が記録済みの前記光ディスク上のマネージメント情報エリアと当該マネージメント情報に対応する前記データが記録済みのデータ領域とが、物理的に連続して形成されるように当該マネージメント情報及び当該データが記録されると共に、
前記光ディスクが未書込みか否かを判定する判定手段と、
前記判定手段により前記光ディスクが未書込みであると判定されたとき、前記記録フォーマットに則って、前記データが記録されるべき前記光ディスク上の書込みデータエリアに当該データを記録すると共に、前記データに対応する前記マネージメント情報が記録されるべき前記光ディスク上の前記マネージメント情報エリアに当該マネージメント情報を記録する一方、
前記判定手段により前記光ディスクに既に前記データが記録されていると判定されたとき、前記記録フォーマットに則って、新たな前記データが記録されるべき前記光ディスク上の新たな書込みデータエリアに当該新たなデータを記録すると共に、当該新たなデータに対応する前記マネージメント情報が記録されるべき前記光ディスク上の新たな前記マネージメント情報エリアに、前記新たなデータに対応する前記マネージメント情報及び既に前記光ディスクに記録されている前記データに関するマネージメント情報を記録する記録手段と、
を備えることを特徴とする情報記録装置。
【請求項９】
前記マネージメント情報は、前記データのディレクトリを含むことを特徴とする請求項８に記載の情報記録装置。
【請求項１０】
請求項６から９のいずれか一項に記載の情報記録装置において、
前記記録フォーマットは、前記データの記録終了位置を示すパーティションデータを、当該パーティションデータが対応する前記データ及び当該データが対応する前記マネージメント情報と共に前記光ディスクにおける記録可能領域内に記録するように規定した記録フォーマットであることを特徴とする情報記録装置。
【発明の詳細な説明】
【０００１】
【産業上の利用分野】
本発明は一度だけ記録可能な追記型の光ディスクにデータを記録させる情報記録方法および情報記録装置に関する。
【０００２】
【従来の技術】
データの記録を一度だけ行なわすことができる追記型光ディスクが開発されている。この追記型光ディスクは、反射層の直前の、記録時の線速度を一定にするためのウォブリング信号や位置情報が形成されているプリグルーブ内に塗布されている有機色素にレーザ光を照射させて光学的変化をおこさせて情報を記録させるようにしている。
【０００３】
このような追記型光ディスクへデータを記録する従来の装置は図５に示すようなフォーマットに従って記録を行なうようにしていた。すなわち、図５（Ａ）は追記型光ディスク（ＣＤ−Ｒ）の記録フォーマットを示しており、ＰＣＡは書込パワーをチェックするエリア、ＲＩはリードインエリア、ＤＡＴＡは書込データエリア、ＲＯはリードアウトエリアである。
【０００４】
従来のＣＤ−Ｒへのデータの書込は、図５（Ａ）に示すように、追記するデータ毎にＲＩデータおよびＲＯデータを追記データの前後に付加してＣＤ−Ｒに書込むようにしている。また、ＣＤ−Ｒに書込む各データのフォーマットは、図５（Ｂ）に示すように、書込データの一定長毎に同期信号（ＳＹＮＣ）および同期信号番号（Ｓ＃）を付加して書込むようにしている。
【０００５】
【発明が解決しようとする課題】
前述したように、従来のＣＤ−Ｒへのデータの書込は、追記するデータ毎に多量のリードインデータおよびリードアウトデータを付加して書込むようにしていた。
【０００６】
このため、ＣＤ−Ｒに追記する回数に従ってリードインおよびリードアウトエリアが増加し、その分、必要なデータを記録する記録領域が減少することになる。また、このように記録されたデータを再生するときは、どこまで書込が行なわれているかが不明であるので、最後のリードアウトを判定することができず、最後のリードアウトエリアを通過して読取を行い、そこで書込みが行なわれていない（フォーマッティングされていない）ことを知ることによって判定を行なうようにしている。
【０００７】
したがって、フォーマッティングされていなければ、スピンドルサーボ制御に用いる同期信号が得られず、同期はずれを生じ、再度複雑な処理によって同期をとり情報を再生しなければならなかった。本発明は追記回数が増加してもデータ記録領域の減少が少なく、かつ最終追記データ位置が容易に判定できるようにした追記型光ディスクへの情報記録方法および記録再生装置を提供することを目的とする。
【０００８】
【課題を解決するための手段】
前述の課題を解決するための手段を説明する前に、図４を参照して、本発明の原理を説明する。図４（Ａ）は本発明に用いられるＣＤ−Ｒの記録フォーマット、図４（Ｂ）は書込データフォーマットである。図４（Ｂ）に示す書込データフォーマットは図５（Ｂ）で説明したと同様なフォーマットを使用する。
【０００９】
図４（Ａ）において、書込パワーチェックエリア（ＰＣＡ）、リードインエリア（ＲＩ）、データ（ＤＡＴＡ）およびリードアウトエリア（ＲＯ）は、図５（Ａ）で説明したと同様である。本発明では、追記するデータの前に記録するデータのディレクトリや記録終了位置を示すパーティションアドレス等を記録するマネージメント情報エリア（ＭＡ）と記録データの次に記録終了位置を示すパーティションエリア（ＰＡ）を設ける。ＭＡやＰＡは、ＲＩやＲＯよりデータ量が非常に少ないので、ＭＡやＰＡを付加したことによるデータ領域の減少は非常に少なくなる。
【００１０】
ＰＡに書込むデータは予め定められた２進数のデータ（Ｐ）を書込む。図５（Ａ）に示すように、最初の書込（Chapter １）がなされたＣＤ−Ｒに、２回目の追記（Chapter ）を行う場合は、先ずＭＡを読出してＰＡ位置を知り、ＰＡ位置にパーティションデータ（Ｐ）が記録されているか否かを判定し、（Ｐ）が記録されている場合は、（Ｐ）以外の（Ｅ）なるデータを再書込した後で、Chapter ２で示すＭＡ，ＤＡＴＡおよびＰＡを書込むようにする。したがって、複数の追記が行なわれた場合は、最後に追記されたChapter のＰＡのみ終了位置を示すパーティションデータ（Ｐ）が記録され、その以前のChapter のＰＡは（Ｅ）が再書込されて（Ｐ）以外のデータに変化し、容易に書込終了位置を知ることができる。
【００１１】
また、ＣＤ−Ｒへの追記を終了する場合は、図４（Ａ）に示すように、最後のＰＡに続いてＲＯを書込ます。つぎに、課題を解決するための手段を説明する。
上記の課題を解決するために、請求項１に記載の発明は、光ディスクに記録すべきデータと、当該データに関するマネージメント情報と、を含む記録フォーマットに則って当該データと当該マネージメント情報とを前記光ディスクに記録する情報記録方法であって、前記マネージメント情報が記録済みの前記光ディスク上のマネージメント情報エリアと当該マネージメント情報に対応する前記データが記録済みのデータ領域とが、前記光ディスク上において物理的に連続して形成されるように当該マネージメント情報及び当該データを記録すると共に、前記記録フォーマットに則って既に他の前記データが記録されている前記光ディスクに前記記録フォーマットに則って新たな前記データを記録するとき、当該新たなデータに対応する前記マネージメント情報が記録されるべき前記光ディスク上の前記マネージメント情報エリアに、前記新たなデータに対応する前記マネージメント情報及び前記光ディスク上に既に記録されている前記データに関する前記マネージメント情報を記録するようにする。
【００１２】
また、上記の課題を解決するために、請求項３に記載の発明は、光ディスクに記録すべきデータと、当該データに関するマネージメント情報と、を含む記録フォーマットに則って当該データと当該マネージメント情報とを前記光ディスクに記録する情報記録方法であって、前記光ディスク上においては、前記マネージメント情報が記録済みの前記光ディスク上のマネージメント情報エリアと当該マネージメント情報に対応する前記データが記録済みのデータ領域とが、物理的に連続して形成されるように当該マネージメント情報及び当該データが記録されると共に、前記光ディスクが未書込みか否かを判定し、未書込みである前記光ディスクに対しては、前記記録フォーマットに則って、前記データが記録されるべき前記光ディスク上の書込みデータエリアに当該データを記録すると共に、前記データに対応する前記マネージメント情報が記録されるべき前記光ディスク上の前記マネージメント情報エリアに当該マネージメント情報を記録し、既に前記データが記録されている前記光ディスクに対しては、前記記録フォーマットに則って、新たな前記データが記録されるべき前記光ディスク上の新たな書込みデータエリアに当該新たなデータを記録すると共に、当該新たなデータに対応する前記マネージメント情報が記録されるべき前記光ディスク上の新たな前記マネージメント情報エリアに、前記新たなデータに対応する前記マネージメント情報及び既に前記光ディスクに記録されている前記データに関するマネージメント情報を記録するようにする。
【００１３】
また、上記の課題を解決するために、請求項６に記載の発明は、光ディスクに記録すべきデータと、当該データに関するマネージメント情報と、を含む記録フォーマットに則って当該データと当該マネージメント情報とを前記光ディスクに記録する情報記録装置であって、前記マネージメント情報が記録済みの前記光ディスク上のマネージメント情報エリアと当該マネージメント情報に対応する前記データが記録済みのデータ領域とが、前記光ディスク上において物理的に連続して形成されるように当該マネージメント情報及び当該データを記録すると共に、前記記録フォーマットに則って既に他の前記データが記録されている前記光ディスクに前記記録フォーマットに則って新たな前記データを記録するとき、当該新たなデータに対応する前記マネージメント情報が記録されるべき前記光ディスク上の前記マネージメント情報エリアに、前記新たなデータに対応する前記マネージメント情報及び前記光ディスク上に既に記録されている前記データに関する前記マネージメント情報を記録する記録手段を備える。
【００１４】
また、上記の課題を解決するために、請求項８に記載の発明は、光ディスクに記録すべきデータと、当該データに関するマネージメント情報と、を含む記録フォーマットに則って当該データと当該マネージメント情報とを前記光ディスクに記録する情報記録装置であって、前記光ディスク上においては、前記マネージメント情報が記録済みの前記光ディスク上のマネージメント情報エリアと当該マネージメント情報に対応する前記データが記録済みのデータ領域とが、物理的に連続して形成されるように当該マネージメント情報及び当該データが記録されると共に、前記光ディスクが未書込みか否かを判定する判定手段と、前記判定手段により前記光ディスクが未書込みであると判定されたとき、前記記録フォーマットに則って、前記データが記録されるべき前記光ディスク上の書込みデータエリアに当該データを記録すると共に、前記データに対応する前記マネージメント情報が記録されるべき前記光ディスク上の前記マネージメント情報エリアに当該マネージメント情報を記録する一方、前記判定手段により前記光ディスクに既に前記データが記録されていると判定されたとき、前記記録フォーマットに則って、新たな前記データが記録されるべき前記光ディスク上の新たな書込みデータエリアに当該新たなデータを記録すると共に、当該新たなデータに対応する前記マネージメント情報が記録されるべき前記光ディスク上の新たな前記マネージメント情報エリアに、前記新たなデータに対応する前記マネージメント情報及び既に前記光ディスクに記録されている前記データに関するマネージメント情報を記録する記録手段と、を備える。
【００２６】
【実施例】
本発明の一実施例を図１を参照して説明する。図１は本発明の実施例の構成図である。図１において、１は追記型光ディスク（ＣＤ−Ｒ）、２はモータ、３はピックアップ、４はサーボ回路、５はレーザ、６はエンコーダ、７はレーザ５のパワー制御回路、８は再生増幅器、９はデコーダ、１０はガイド信号デコーダ、１１はマネージメント情報読出部、１２はマネージメント情報書込部、１３はパーティションデータ読出部、１４は判定部、１５はパーティションデータ（再）書込部、１６は制御部、１７は入力部、１８〜２３はインタフェース（Ｉ／Ｏ）、２４は処理を行うプロセッサ（ＣＰＵ）である。
【００２７】
つぎに、図２を参照して、本発明の記録時の動作を説明する。処理Ｓ１では、サーボ回路４は、モータ２の回転、ピックアップ３のトラッキングおよびフォーカスを制御するサーボ処理を行なう。処理Ｓ２では、制御部１６はパワー制御回路７に指令して、図４（Ａ）に示すＣＤ−ＲのＰＣＡ領域でレーザ５の出力を上げ、書込時のパワー最適値のチェックを行う。
【００２８】
処理Ｓ３では、ＣＤ−Ｒ１が未書込の光ディスクである場合は処理Ｓ４に、また書込済のものである場合は処理Ｓ９に移る。処理Ｓ４では、マネージメント情報書込部１２はマネージメント情報を作成し、Ｉ／Ｏ１８を介して出力し、エンコーダ６でエンコードしてレーザ５の出力を変調し、ピックアップ３よりＣＤ−Ｒ１に照射してマネージメント情報の書込を行う。
【００２９】
処理Ｓ５では、制御部７は、Ｉ／Ｏ２２より入力された記録データをＩ／Ｏ１８を介して出力し、ＣＤ−Ｒ１にデータを書込む。データの書込が終了すると、処理Ｓ６では、パーティションデータ（再）書込部１５は、パーティションデータ（Ｐ）の書込を行う。
【００３０】
処理Ｓ７では、入力部１７よりＣＤ−Ｒ１に書込を終了させる入力が入力されていない場合は処理を終了し、入力されている場合は処理Ｓ８に移って図４（Ａ）に示すようにリードアウトデータとＭＯに書込んで処理を終了する。また、処理Ｓ３での判定がＮＯの場合は処理Ｓ９に移り、処理Ｓ９では、マネージメント情報読出部１１は、Ｉ／Ｏ２０を介してＣＤ−Ｒ１よりマネージメント情報を読出す。
【００３１】
処理Ｓ１０では、パーティションデータ読出部１３は、処理Ｓ９で読出されたマネージメント情報の中のパーティションデータが記録されているアドレスに対応するアドレスよりパーティションデータを読出する。処理Ｓ１１では、判定部１４は、処理Ｓ１０で読出したデータが、正規のパーティションデータ（Ｐ）であるか否かを判定し、判定がＹＥＳの場合は処理Ｓ１２に移り、判定がＮＯの場合は処理Ｓ９に移ってマネージメント情報の読出を行い、処理Ｓ９〜Ｓ１１を繰返す。
【００３２】
処理Ｓ１２では、ＣＤ−Ｒ１に書込エリアが無い場合は処理Ｓ８に移り、書込エリアが有る場合は処理Ｓ１３に移る。処理Ｓ１３では、パーティションデータ（再）書込部１５は、処理Ｓ１０で読出したパーティションデータのアドレスに、正規のパーティションデータ（Ｐ）とは異なるデータ（Ｅ）を再書込し、処理Ｓ４に移る。
【００３３】
すなわち、図４（Ａ）のChapter１のＰＡで（Ｐ）が検出された場合は、Chapter １のＰＡに（Ｅ）再書込を行い、記録を（Ｐ）でないようにし、最後に記録されているChapterのＰＡのみ（Ｐ）が記録される。なお実施例では、処理Ｓ４でのマネージメント情報の書込は、書込を行うデータに対するマネージメント情報のみを書込ますようにしていたが、処理Ｓ９で読出した以前に記録されているデータに対するマネージメント記録情報も付加して書込を行うようにしてもよい。
【００３４】
また、実施例ではパーティションデータ（Ｐ）が検出されたら、（Ｅ）を書込して追記データを書込み、最後のChapterのＰＡにのみ（Ｐ）が書込まれているようにしていたが、追記データに対するＰＡにはデータを未書込とし、追記に際して未書込のＰＡがあったときは、この位置が以前の書込終了位置であると判定して（Ｐ）を書込み、続いて追記データを書込むようにしても良い。
【００３５】
すなわち、追記したChapterのＰＡは、図４（Ｂ）に示すＳＹＮＣおよびＳ＃は書込みが行なわれるが、書込データは未書込とする。このようにしてもＳＹＮＣは書込みが行なわれているので、同期はずれの問題は無い。つぎに、図３を参照して、再生時の動作を説明する。
【００３６】
処理Ｓ２１で入力部１７より再生コマンドが入力されると処理Ｓ２２に移ってフォーカス、スピンドルおよびトラッキングのサーボ系の処理が行なわれる。処理Ｓ２３では、マネージメント情報読出部１１は、最初のChapterのＭＡよりマネージメント情報を読出す。
【００３７】
処理Ｓ２４では、パーティションデータ読出部１３は、処理Ｓ２３で読出したマネージメント情報の中のパーティションデータのアドレスよりデータを読出す。処理Ｓ２５では、判定部１４は、処理Ｓ２４で読出したデータが正規のパーティションデータ（Ｐ）であるか否を判定し、判定がＮＯの場合は処理Ｓ２３に移って次のChapterのマネージメント情報を読出して処理Ｓ２３〜Ｓ２５を繰返す。
【００３８】
処理Ｓ２５での判定がＹＥＳの場合は、処理Ｓ２６に移って読出されたマネージメント情報を参照して処理Ｓ２１で入力されたコマンドに対応する位置にヘッドをスキップし、処理Ｓ２７に移って記録しているデータを読出す。データの読出しが終了し、次のコマンドが入力されている場合は処理Ｓ２６に移り、入力されていない場合は処理を終了する。
【図面の簡単な説明】
【図１】本発明の実施例の構成図である。
【図２】同実施例の記録時の動作フローチャートである。
【図３】同実施例の再生時の動作フローチャートである。
【図４】本発明の追記型光ディスクへの記録フォーマットを示す図である。
【図５】従来の追記型光ディスクへの記録フォーマットを示す図である。
【符号の説明】
１  追記型光ディスク（ＣＤ−Ｒ）
２  モータ
３  ピックアップ
４  サーボ回路
５  レーザ
６  エンコーダ
７  パワー制御回路
８  再生増幅器
９  デコーダ
１０  ガイド信号デコーダ
１１  マネージメント情報読出部
１２  マネージメント情報書込部
１３  パーティションデータ読出部
１４  判定部
１５  パーティションデータ（再）書込部
１６  制御部
１７  入力部
１８〜２３  インタフェース（Ｉ／Ｏ）
２４  プロセッサ（ＣＰＵ）
【図１】
0003761535.tif 000002
【図２】
0003761535.tif 000003
【図３】
0003761535.tif 000004
【図４】
0003761535.tif 000005
【図５】
0003761535.tif 000006